(57)【特許請求の範囲】
【請求項１】
陰イオンを発生する照明器具において、
外部から電源を受ける電源部、前記電源部から電源を受けて高圧を発生させる増幅器、及び外部へ陰イオンを放出させるための放出孔からなる本体と、
前記本体の一側に設けられ、増幅器から高圧を受けて発光する照明部と、
前記本体の内部に設けられ、増幅器から高圧を受けて、室内照明の照度に応じて陰イオンの量を調節する陰イオン調節センサーと、
前記陰イオン調節センサーにより陰イオンを発生させる陰イオン発生部と、を具備し、
前記陰イオン調節センサーは、
感知した外部の照度が高い場合には、外部へ発生する陰イオンの量を減少させ、
感知した外部の照度が低い場合には、外部へ発生する陰イオンの量を増大させるよう構成されていることを特徴とする陰イオン発生装置が内蔵された照明器具。
【請求項２】
前記陰イオン発生部は、増幅器から高圧を受ける陰イオン発生板と、前記陰イオン発生板の端部に設けられた多数の電子銃と、前記電子銃から放出される電子と衝突して陰イオンを発生させ、陰イオンが外部へ放出できるように多数の通孔が形成された電子板と、前記発生された陰イオンを通孔を介して放出できるように誘導する陰イオン収集パネルとから構成されることを特徴とする請求項１記載の陰イオン発生装置が内蔵された照明器具。
【発明の詳細な説明】
【０００１】
【発明の属する技術分野】
本発明は陰イオン発生装置が内蔵された照明器具に関り、特に電源に連結され電源が印加される本体内部に陰イオン発生装置を内蔵して、照明器具から陰イオンが発生するようにした照明器具に関する。
【０００２】
【従来の技術】
一般に、産業社会が発展するにつれて大気中に含まれるカビ、各種細菌及び汚染物質の量が増加している。したがって、このように大気中に含まれているカビ、各種細菌及び汚染物質を浄化するため、空気清浄器のような製品を用いる人々が急増している趨勢である。
【０００３】
現在市販されている空気清浄器は室内空気を対流させるため、別の送風装置を用いるものであり、前記送風装置はモータなどのような関連駆動部品により室内空気を浄化させるものである。このような空気清浄器は大きいため、設置及び使用空間が大きく求められ、個別的に設置、管理しなければならないので、製品の使用が面倒であり、コンセントなどのような電源接続装置の数が多くなる問題点がある。
【０００４】
一例として、韓国特許登録第１９９７−０００６０４７に開示された空気清浄機能を有する照明装置は、図１に示すように、外部から電力が供給される電極部１及び少なくとも一つの照明灯２が設けられた本体３と、前記本体３の内部に設けられ、高圧を発生させる増幅器と、前記照明灯の中央に介在され、前記増幅器から高圧を受けて陰イオンを発生させる陰イオン発生器４とからなる。
【０００５】
前記空気清浄機能を有する照明装置は、本体３の中央に設けられ照明灯２の中心に突設された陰イオン発生器４から陰イオンを発生して室内の空気を浄化するようになっている。
【０００６】
しかし、前記のような空気清浄機能を有する照明装置は照明灯２と陰イオン発生装置４が本体の中央に突設されているため、照明灯２の形状によってその適用範囲が制限され、照明灯２の中央に陰イオン発生器４が突設されている関係で、陰イオン発生器４の幅が制限される。したがって、陰イオンが発生する範囲と方向が制限され、室内の空気を充分に浄化し難い問題点を内在している。
【０００７】
【発明が解決しようとする課題】
したがって、本発明は前述したような問題点を解決するためになされたもので、本体の内部に陰イオン装置を内蔵し、前記本体の外部に放出孔を設け、照明灯の形状にかかわらず全ての照明灯に適用でき、前記放出孔を介して陰イオンが発生するようにして陰イオンの発生範囲及び方向を広範囲に適用することができ、陰イオン調節センサーを設けることで、外部の照度に応じて陰イオン量を調節してより効率的に外部の空気を浄化させることができる、陰イオン発生装置が内蔵された照明器具を提供することにその目的がある。
【０００８】
【課題を解決するための手段】
前記のような目的を達成するための本発明は、陰イオンを発生する照明器具において、外部から電源を受ける電源部、前記電源部から電源を受けて高電圧を発生させる増幅器、及び外部へ陰イオンを放出させるための放出孔からなる本体と、前記本体の一側に設けられ、増幅器から高圧を受けて発光する照明部と、前記本体の内部に設けられ、増幅器から高圧を受けて、室内照明の照度に応じて陰イオンの量を調節する陰イオン調節センサーと、前記陰イオン調節センサーにより陰イオンを発生させる陰イオン発生部とからなり、前記陰イオン発生部は、増幅器から高圧を受ける陰イオン発生板と、前記陰イオン発生板の端部に設けられた多数の電子銃と、前記電子銃から放出される電子と衝突して陰イオンを発生させ、陰イオンが外部へ放出できるように多数の通孔が形成された電子板と、前記発生された陰イオンを通孔を介して放出できるように誘導する陰イオン収集パネルとから構成される。
【０００９】
【発明の実施の形態】
以下、本発明の実施形態を添付図面に基づいて詳細に説明する。
図２は本発明の実施形態による照明器具の斜視図であり、図３は本発明の実施形態による照明器具の断面図である。
【００１０】
同図に示すように、本発明による陰イオン発生装置が内蔵された照明器具は本体１０、照明灯３０及び陰イオン発生部２０からなる。
【００１１】
前記本体１０は円筒形に形成され、その上部には一つ以上の照明灯３０が装着され、外部の通常のソケット（図示せず）に螺合され電源を増幅器１２に印加するための電源部１４が下部に装着される。前記増幅器１２は本体の内壁に形成された固定片１６ａにより安定的に取り付けられ、外壁には陰イオンを放出させるとともに視覚的に美麗な外形を与えるための放出孔１８が設けられる。
【００１２】
ここで、前記増幅器１２は電源部１４から供給される電源を受けて高圧に増幅させるもので、その構成は印刷回路基板上に装着されるトランス及び関連駆動部品からなり、本体１０の内部に設けられた固定片１６ａにより安定的に取り付けられる。
【００１３】
前記本体１０の内部には、室内照明の照度に応じて陰イオン量を調節する陰イオン調節センサー１１０と、前記陰イオン調節センサー１１０により陰イオンを発生させる陰イオン発生部２０と、照明灯３０に電源を印加するインバータ３２とが設けられる。
【００１４】
前記陰イオン発生部２０は、陰イオン発生板２２、多数の電子銃２４、多数の通孔２７が形成された電子板２６、及び陰イオン収集パネル２８からなる。
【００１５】
前記陰イオン発生板２２は増幅器１２から高圧を受け、前記陰イオン発生板２２の端部に設けられた多数の電子銃２４から電子を放出させる。
【００１６】
この際に、前記電子銃２４から放出される電子は電子板２６と衝突して陰イオンを発生させ、前記発生された陰イオンは電子板２６に形成された多数の通孔２７を介して外部へ放出される。
【００１７】
前記陰イオン収集パネル２８は本体１０の内部に設けられ、その内部に電子銃２４と電子板２６が位置する。よって、電子銃２４と電子板２６の作用により発生する陰イオンを通孔２７に誘導してより多量の陰イオンを外部に放出させることになる。
【００１８】
前記電子銃２４は円筒形の本体１０の全内周に一定の間隔で設けられることが好ましいし、電子板２６に形成された通孔２７は電子銃２４の位置と対応して形成されることが好ましい。
【００１９】
前記陰イオン発生部２０に伝達される電子は陰イオン調節センサー１１０が感知した外部の照度によって決められるが、前記陰イオン調節センサー１１０は、外部の照度が高ければ光がよく透過し、空気中の異物の量が少ないので、電子の発生量を減らして、外部へ発生する陰イオンの量を減少させ、外部の照度が低ければ光がよく透過せず、空気中の異物の量が多いので、電子の発生量を増やして陰イオンの量を増大させることで、外部の空気をより効率的に管理及び維持することができるようにする。
【００２０】
また、前記インバータ３２は本体１０の内壁に設けられた固定片１６ｂにより安定的に取り付けられ、増幅器１２から高圧を受け照明灯３０に印加して、照明灯３０が発光できるようにする。
【００２１】
図４は本発明のほかの実施形態によるスタンド灯の斜視図であり、図５は図４のスタンド灯の断面図である。
同図に示すように、スタンド１００は、本体４０の一側に一つ以上の照明灯６０が装着され、外部のスタンド１００に結合され、電源を増幅器４２に印加する電源部４４が設けられる。増幅器４２は本体４０の内壁に設けられた固定片４６ａにより安定的に取り付けられ、本体４０の一側には陰イオンを放出させるとともに視覚的に美麗な外形を与えるための放出孔４８が設けられる。
【００２２】
前記本体４０の内部には、陰イオンを発生させる陰イオン発生部５０と、照明灯６０に電源を印加するインバータ６２が設けられる。前記インバータ６２は本体の内壁に設けられた固定片４６ｂにより安定的に取り付けられる。
【００２３】
前記陰イオン発生部５０は、陰イオン発生板５２、多数の電子銃５４、多数の通孔５７が形成された電子板５６、及び陰イオン収集パネル５８からなる。
【００２４】
前記陰イオン発生部５０に伝達される電子は陰イオン調節センサー１１１が感知した外部の照度に応じて、外部へ発生される陰イオンの量を調節する。
【００２５】
前記電子銃５４は円筒形の本体４０の一側に形成された放出孔４８の方向に一定間隔で設けられることが好ましいし、電子板５６に形成された通孔５７は電子銃５４の位置と対応して形成されることが好ましい。
【００２６】
図６は本発明によるさらにほかの実施形態による蛍光灯器具の斜視図であり、図７は図６の蛍光灯器具の断面図である。
同図に示すように、蛍光灯器具は、本体７０の両側に、蛍光灯９０が結合される連結具７９が設けられ、外部から電源を受けて高圧を発生させる増幅器７２、陰イオンを外部へ放出させる放出孔７８、及び陰イオンを発生させる陰イオン発生部８０が内蔵される。
【００２７】
前記陰イオン発生部８０は増幅器７２の下部に設けられ、陰イオン発生板８２、多数の電子銃８４、多数の通孔８７が形成された電子板８６、及び陰イオン収集パネル８８から構成される。
【００２８】
前記陰イオン収集パネル８８は本体７０の内部に設けられ、その内部に電子銃８４及び電子板８６が位置する。したがって、電子銃８４と電子板８６の作用により発生する陰イオンを通孔８７に誘導してより多量の陰イオンを外部へ放出させることができる。
【００２９】
ここで、前記陰イオン発生部８０は陰イオン調節センサー１１２が感知した外部の照度に応じて、外部へ発生される陰イオンの量を調節することになる。
【００３０】
前記電子銃８４は本体７０の一側に形成された放出孔７８の方向に一定間隔で設けられることが好ましいし、電子板８６に形成された通孔８７は電子銃８４の位置と対応して形成されることが好ましい。
【００３１】
【発明の効果】
以上説明したように、本発明による照明器具は、本体の内部に陰イオン発生装置を内蔵し、前記本体に放出孔が形成され、照明灯の形状にかかわらず全ての照明灯に適用することができ、前記放出孔を介して陰イオンが発生するようにして陰イオンの発生範囲及び方向を広範囲に適用することができ、陰イオン調節センサーを内蔵して、外部の照度に応じて陰イオンの量を調節してより効率よく外部の空気を浄化することができる。したがって、製品の販売促進と消費者の満足感を図ることができる。
【図面の簡単な説明】
【図１】従来の空気清浄機能を有する照明器具の斜視図である。
【図２】本発明の実施形態による照明器具の斜視図である。
【図３】図２の照明器具の断面図である。
【図４】本発明のほかの実施形態による照明器具の斜視図である。
【図５】図４の照明器具の断面図である。
【図６】本発明のさらにほかの実施形態による照明器具の斜視図である。
【図７】図６の照明器具の断面図である。
【符号の説明】
１０、４０、７０  本体
１２、４２、７２  増幅器
１４、４４  電源部
１６ａ、１６ｂ、４６ａ、４６ｂ  固定片
１８、４８、７８  放出孔
２０、５０、８０  陰イオン発生部
２２、５２、８２  陰イオン発生板
２４、５４、８４  電子銃
２６、５８、８６  電子板
２７、５７、８７  通孔
２８、５８、８８  陰イオン収集パネル
３０、６０  照明器具
３２、６２  インバータ
７９  連結具
９０  蛍光灯
１００  スタンド
１１０、１１１、１１２  陰イオン調節センサー
【図１】
0003625800.tif 000002
【図２】
0003625800.tif 000003
【図３】
0003625800.tif 000004
【図４】
0003625800.tif 000005
【図５】
0003625800.tif 000006
【図６】
0003625800.tif 000007
【図７】
0003625800.tif 000008